(57)【要約】【課題】建物の外観意匠性を向上させ、屋外から開口部への視線を遮るとともに開口部から屋内への採光及び通風を確保する。【解決手段】建物本体２の外壁面３の外側に設けられるとともに、建物外観の少なくとも一部を形成する被覆壁Ｗを備える建物１であって、前記被覆壁Ｗは、前記建物本体２から離間して設けられた正面視矩形の第１壁Ａと、この第１壁Ａに隣接して設けられるとともに厚さ方向に貫通する複数の小開口部を備えた正面視矩形の第２壁Ｂと、を備え、この第２壁Ｂを前記建物本体２の折れ戸に対応する位置に設ける。【選択図】図１
2006328738.tif 000002
【特許請求の範囲】
【請求項１】
建物本体の外壁面の外側に設けられて、建物外観の少なくとも一部を形成する被覆壁を備える建物であって、
前記被覆壁は、前記建物本体から離間して設けられた正面視矩形の第１壁と、この第１壁に隣接して設けられるとともに厚さ方向に貫通する複数の小開口部を備えた正面視矩形の第２壁と、を備え、
この第２壁は、前記建物本体の開口部に対応する位置に設けられていることを特徴とする建物。
【請求項２】
前記被覆壁は、前記建物本体から離間して設けられた正面視矩形の第３壁を備えており、
前記第２壁の左右両端部は、前記第１壁及び第３壁にそれぞれ隣接していることを特徴とする請求項１に記載の建物。
【請求項３】
前記第３壁は、前記第２壁に直交していることを特徴とする請求項２に記載の建物。
【請求項４】
前記第１壁又は第３壁には窓が設けられていることを特徴とする請求項２又は３に記載の建物。
【請求項５】
前記建物本体の開口部の下端部と前記被覆壁との間に床部が設けられていることを特徴とする請求項１〜４のいずれか一項に記載の建物。
【請求項６】
前記被覆壁の下方には、平面視において前記建物本体の外壁面から奥まった凹所が該建物本体に設けられており、この凹所に玄関ポーチ又は駐車スペースが設けられていることを特徴とする請求項１〜５のいずれか一項に記載の建物。
【発明の詳細な説明】
【技術分野】
【０００１】
本発明は、建物本体の外壁面の外側に設けられて、建物の外観の少なくとも一部を形成する被覆壁を備える建物に関する。
【背景技術】
【０００２】
建物の外壁には、窓等の開口部が設けられる（特許文献１）。これらの開口部は、屋内への採光及び通風を確保して良好な居住環境を提供するとともに、それらの設置位置をまとまりのあるものにすることによって建物外観の意匠性を向上させることができる。
【特許文献１】特開平５−９８８１４号公報
【発明の開示】
【発明が解決しようとする課題】
【０００３】
しかしながら、建物に開口部を設けると、屋外からの視線を誘導し屋内を覗かれる恐れがある一方で、建物に開口部を設けないと、屋内への採光及び通風を確保できないという問題がった。また、建物内において浴室やトイレ等の水廻りが配置される側では、開口部のずれが生じ易く、建物の外観を損ねる恐れがあった。
【０００４】
本発明の課題は、建物の外観意匠性を向上させ、屋外から開口部への視線を遮るとともに開口部から屋内への採光及び通風を確保することである。
【課題を解決するための手段】
【０００５】
以上の課題を解決するため、請求項１に記載の発明は、例えば図１及び２に示すように、建物本体２の外壁面３の外側に設けられて、建物外観の少なくとも一部を形成する被覆壁Ｗを備える建物１であって、
前記被覆壁Ｗは、前記建物本体２から離間して設けられた正面視矩形の第１壁Ａと、この第１壁Ａに隣接して設けられるとともに厚さ方向に貫通する複数の小開口部を備えた正面視矩形の第２壁Ｂと、を備え、
この第２壁Ｂは、前記建物本体２の開口部（例えば、折れ戸５ａ）に対応する位置に設けられていることを特徴としている。
【０００６】
請求項１に記載の発明によれば、被覆壁Ｗは、建物本体２の外壁面３から離間した正面視矩形の第１壁Ａとこの第１壁Ａに隣接した正面視矩形の第２壁Ｂとを備えているため、被覆壁Ｗの輪郭や第１壁Ａと第２壁Ｂとの接線が水平線及び垂直線によって構成される。よって、建物１の外観に統一感を与えて外観意匠性を向上させることができる。また、第２壁Ｂは、建物本体２の開口部（例えば、折れ戸５ａ）に対応する位置に設けられるとともに、厚さ方向に貫通する複数の小開口部を備えているため、屋外から開口部（例えば、折れ戸５ａ）への視線を遮るとともに屋内への採光及び通風を確保することができる。
【０００７】
請求項２に記載の発明は、請求項１に記載の建物において、例えば図１に示すように、前記被覆壁Ｗは、前記建物本体２から離間して設けられた正面視矩形の第３壁Ｃを備えており、
前記第２壁Ｂの左右両端部は、前記第１壁Ａ及び第３壁Ｃにそれぞれ隣接していることを特徴としている。
【０００８】
請求項２に記載の発明によれば、第２壁Ｂの両端部は、建物本体２から離間して設けられた正面視矩形の第１壁Ａ及び第３壁Ｃに隣接しているため、厚さ方向に複数の小開口部を有する第２壁Ｂの強度を維持することができる。また、第１壁Ａ、第２壁Ｂ、及び第３壁Ｃは全て正面視矩形のため、被覆壁Ｗの輪郭や第２壁Ｂと第１壁Ａ及び第３壁Ｃとの接線が水平線及び垂直線によって構成される。よって、建物１の外観に統一感を与えて外観意匠性を向上させることができる。
【０００９】
請求項３に記載の発明は、請求項２に記載の建物において、例えば図２に示すように、前記第３壁Ｃは、前記第２壁Ｂに直交していることを特徴としている。
【００１０】
請求項３に記載の発明によれば、第３壁Ｃは第２壁Ｂに直交しているため、被覆壁Ｗは建物１の２方向からの外観の少なくとも一部をそれぞれ形成する。よって、建物１の２方向からの外観意匠性を向上させることができる。
【００１１】
請求項４に記載の発明は、請求項２又は３に記載の建物において、例えば図１に示すように、前記第１壁Ａ又は第３壁Ｃには窓（例えば、嵌め殺し窓Ａ８，Ｅ２）が設けられていることを特徴としている。
【００１２】
請求項４に記載の発明によれば、第１壁Ａ又は第３壁Ｃに窓（例えば、嵌め殺し窓Ａ８，Ｅ２）が設けられている。よって、第１壁Ａ又は第３壁Ｃに覆われた建物本体２の外壁面３に設けられた窓等の開口部から屋内への採光を確保することができる。
【００１３】
請求項５に記載の発明は、請求項１〜４のいずれか一項に記載の建物において、例えば図２に示すように、前記建物本体２の開口部（例えば、折れ戸５ａ）の下端部と前記被覆壁Ｗとの間に床部５ｂが設けられていることを特徴としている。
【００１４】
請求項５に記載の発明によれば、建物本体２の開口部（例えば、折れ戸５ａ）の下端部と被覆壁Ｗとの間に床部５ｂが設けられているため、この床部５ｂをバルコニーやフラワーボックスの床として利用でき、しかも、被覆壁Ｗによって外部からバルコニーへの視線を遮ることができる。
【００１５】
請求項６に記載の発明は、請求項１〜５のいずれか一項に記載の建物において、例えば図１に示すように、前記被覆壁Ｗの下方には、平面視において前記建物本体２の外壁面３から奥まった凹所（例えば、玄関ポーチ４）が該建物本体２に設けられており、この凹所（例えば、玄関ポーチ４）に玄関ポーチ又は駐車スペースが設けられていることを特徴としている。
【００１６】
請求項６に記載の発明によれば、被覆壁Ｗの下方には凹所（例えば、玄関ポーチ４）が形成され、この凹所（例えば、玄関ポーチ４）には玄関ポーチや駐車スペースが設けられているため、人や車が被覆壁Ｗの下方を通過してこれらの玄関ポーチや駐車スペースを利用することができる。また、凹所（例えば、玄関ポーチ４）は平面視において建物本体２の外壁面３から奥まっているため、建物１の外観に立体感を与え、建物１の外観意匠性を向上することができる。
【発明の効果】
【００１７】
本発明によれば、建物１の外観に統一感を与えて外観意匠性を向上させることができる。また、屋外から開口部への視線を遮るとともに屋内への採光及び通風を確保することができる。
【発明を実施するための最良の形態】
【００１８】
以下、図を参照して本発明に係る建物１について詳細に説明する。
図１は、建物本体２と、この建物本体２の外壁面３から離間させて設けた被覆壁Ｗと、を示す斜視図であり、図２は、建物１の２階を示す平面図である。
【００１９】
図１及び２に示すように、建物本体２は、１階の正面角部に玄関ポーチ４が形成されている。また、２階の正面角部には折れ戸５ａが設けられており、この折れ戸５ａから玄関ポーチ４の軒先４ａ（図５参照）の上に床部５ｂが張り出され、バルコニー５を形成している。このバルコニー５は、建物本体２の外壁面３よりも張り出しており、建物１の正面側には正面パラペット５ｃ及び正面手摺５ｄが、側面側には側面パラペット及び側面手摺５ｅが設けられている。また、建物本体２には、２階のリビング６の正面側に腰窓６ａ及び高窓６ｂがそれぞれ設けられ、１階と２階とを繋ぐ階段７に対向した外壁面３に採光用窓７ａが設けられている。
【００２０】
被覆壁Ｗは、建物本体２の外壁面３から離間して設けられ、建物１の正面側に位置する第１壁Ａと、この第１壁Ａに隣接した第２壁Ｂと、この第２壁Ｂに直交して設けられた第３壁Ｃと、この第３壁Ｃに隣接した第４壁Ｄと、この第４壁Ｄに隣接した第５壁Ｅと、を備えている。
【００２１】
図１〜４に示すように、第１壁Ａは、框材Ａ１を矩形に組み立てた枠体の両面に面材Ａ２，Ａ３を貼設し、それらの面材Ａ２，Ａ３の上から胴縁Ａ４，Ａ５を介してサイディングＡ６，Ａ７を取り付けた正面視矩形の壁パネルから形成されている。この第１壁Ａは、建物本体２の腰窓６ａを覆うように位置しているとともに、この腰窓６ａに対応する位置に嵌め殺し窓Ａ８が形成されている。
【００２２】
図１及び３に示すように、この第１壁Ａの上端は建物本体２の高窓６ｂの下方に位置しており、第１壁Ａの上端部には笠木受材Ａ９が設けられ、この笠木受材Ａ９に笠木Ａ１０が取り付けられている。また、第１壁Ａの下端は玄関ポーチ４の上端に位置しており、図４に示すように、第１壁Ａの面材Ａ２とサイディングＡ６との間には、第１壁Ａの下端面へと延設された水切部材Ａ１１が取り付けられている。
【００２３】
図２及び４に示すように、第１壁Ａには、建物本体２の外壁面３に当接する突出部Ａ１２〜Ａ１４が建物本体２の腰窓６ａの両側及びバルコニー５側に設けられている。これらの突出部Ａ１２〜Ａ１４は、第１壁Ａの上下方向に延在して設けられており、第１壁Ａはこれらの突出部Ａ１２〜Ａ１４を介して建物本体２に取り付けられている。
【００２４】
図１に示すように、第２壁Ｂは、正面視矩形であり、隣接する第１壁Ａ及び第３壁Ｃの間に設けられている。この第２壁Ｂは、等間隔に固定された複数の水平材Ｂ１を備え、隣接する水平材Ｂ１の間には小開口部が形成されている。
【００２５】
図１，２，５及び６に示すように、第２壁Ｂの上下両端は隣接する第１壁Ａと同高さに位置しており、上部の水平材Ｂ１は、第１壁Ａ及び第３壁Ｃの端部にそれぞれ設けられた支持材Ｂ２に固定され、下部の水平材Ｂ１は、バルコニー５の正面パラペット５ｃに取り付けられた受材５ｆに固定されている。
【００２６】
図１及び２に示すように、第３壁Ｃは、第１壁Ａと同様に正面視矩形の壁パネルから形成されており、第２壁Ｂに直交して隣接するとともに、バルコニー５及び玄関ポーチ４に近接して、下部を地中に埋め込まれた基礎の上に立設されている。この第３壁Ｃの上端は第２壁Ｂと同高さに位置するとともに、上端部には第１壁Ａと同様の笠木受材及び笠木Ｃ１が設けられている。
【００２７】
第４壁Ｄは、正面視矩形であり、隣接する第３壁Ｃ及び第５壁Ｅの間に設けられている。この第４壁Ｄは、第２壁Ｂと同様に、複数の水平材Ｄ１を備え、これらの水平材Ｄ１は、第３壁Ｃ及び第５壁Ｅの端部に設けられた支持材、又はバルコニー５の側面パラペットに取り付けられた受材に固定されている。また、第４壁Ｄの上端は第３壁Ｃと同高さに位置するとともに、下端は地面付近に位置している。
【００２８】
図１及び２に示すように、第５壁Ｅは、第１壁Ａ及び第３壁Ｃと同様に正面視矩形の壁パネルから形成されており、第４壁Ｄに隣接するとともに下部を地中に埋め込まれた基礎の上に立設されている。この第５壁Ｅは、建物本体２の採光用窓７ａを覆うように位置しており、この採光用窓７ａに対応する位置に嵌め殺し窓Ｅ２が形成されている。また、第５壁Ｅの上端は第４壁Ｄと同高さに位置するとともに、上端部には第１壁Ａ及び第３壁Ｃと同様の笠木受材及び笠木Ｅ１が設けられている。
【００２９】
図２に示すように、第５壁Ｅには第１壁Ａと同様に突出部Ｅ３，Ｅ４が採光用窓７ａの両側に設けられている。
【００３０】
次に、以上のように構成される建物１の施工手順について説明する。
まず、建物本体２をパネル工法等で組み立てるとともに、框材Ａ１を矩形に組み立てた枠体の両面に面材Ａ２，Ａ３を貼設し、それらの面材Ａ２，Ａ３の上から胴縁Ａ４，Ａ５を介してサイディングＡ６，Ａ７を取り付けて壁パネルを形成し、この壁パネルに笠木受材５ｅ及び笠木Ａ１０を取り付けて、第１壁Ａとする。また、第３壁Ｃ及び第５壁Ｅについても第１壁Ａと同様に組み立てる。このとき、第１壁Ａには、建物本体２の腰窓６ａに対応する位置に嵌め殺し窓Ａ８を設けるとともに、所定の位置に突出部Ａ１２〜Ａ１４を３つ設けておく。同様に、第５壁Ｅに採光用窓７ａに対応する位置に嵌め殺し窓Ｅ２を設けるとともに、所定の位置に突出部Ｅ３，Ｅ４を２つ設けておく。
【００３１】
次に、第１壁Ａの突出部Ａ１２〜Ａ１４を建物本体２の外壁面３に固定し、第１壁Ａを所定の位置に取り付ける。また、第３壁Ｃは、所定の位置において基礎上に立設させる。さらに第５壁Ｅは、所定の位置において基礎上に立設させるとともに、突出部Ｅ３，Ｅ４を外壁面３に固定する。
【００３２】
そして、第１壁Ａ及び第３壁Ｃの対向した部分にそれぞれ支持材Ｂ２をそれぞれ取り付けるとともにバルコニー５の正面パラペット５ｃに受材５ｆを取り付け、これらの支持材Ｂ２及び受材５ｆに第２壁Ｂの水平材Ｂ１を等間隔で固定する。同様に、第３壁Ｃ及び第５壁Ｅの対向した部分にそれぞれ支持材を取り付けるとともにバルコニー５の側面パラペットに受材を取り付け、これらの支持材及び受材に第４壁Ｂの水平材Ｄ１を等間隔で固定する。
【００３３】
以上の実施形態によれば、被覆壁Ｗは、建物本体２の外壁面３から離間した正面視矩形の第１壁Ａ、第２壁Ｂ、第３壁Ｃ、第４壁Ｄ、及び第５壁Ｅを備えており、これらが互いに隣接しているため、被覆壁Ｗの輪郭や第１壁Ａ、第２壁Ｂ、第３壁Ｃ、第４壁Ｄ、及び第５壁Ｅ同士の接線が水平線及び垂直線によって構成される。よって、建物１の外観に統一感を与えて外観意匠性を向上させることができる。また、第２壁Ｂ及び第４壁Ｄは、建物本体２の折れ戸５ａに対応する位置に設けられるとともに、厚さ方向に貫通する複数の小開口部を備えているため、屋外から折れ戸５ａへの視線を遮るとともに屋内への採光及び通風を確保することができる。
【００３４】
第２壁Ｂの両端部は、建物本体２から離間して設けられた正面視矩形の第１壁Ａ及び第３壁Ｃに隣接し、第４壁Ｄの両端部は、建物本体２から離間して設けられた正面視矩形の第３壁Ｃ及び第５壁Ｅに隣接しているため、厚さ方向に複数の小開口部を有する第２壁Ｂ及び第４壁Ｄの強度を維持することができる。
【００３５】
また、第３壁Ｃは第２壁Ｂに直交しているため、被覆壁Ｗは建物１の２方向からの外観の少なくとも一部をそれぞれ形成する。よって、建物１の２方向からの外観意匠性を向上させることができる。
【００３６】
さらに、第１壁Ａには嵌め殺し窓Ａ８が、第３壁Ｃには嵌め殺し窓Ｅ２が設けられている。よって、建物本体２の外壁面３に設けられた腰窓６ａ及び採光用窓７ａから屋内への採光を確保することができる。
【００３７】
また、建物本体２の折れ戸５ａの下端部と被覆壁Ｗとの間に床部５ｂが設けられているため、この床部５ｂをバルコニー５の床として利用でき、しかも、被覆壁Ｗによって外部からバルコニー５への視線を遮ることができる。
【００３８】
さらに、被覆壁Ｗの下方には玄関ポーチ４が形成されているため、人が被覆壁Ｗの下方を通過してこれらの玄関ポーチ４を利用することができる。また、玄関ポーチ４は平面視において建物本体２の外壁面３から奥まっているため、建物１の外観に立体感を与え、建物１の外観意匠性を向上することができる。
【００３９】
なお、以上の実施形態においては、第２壁Ｂ及び第４壁Ｄを複数の水平材Ｂ１で形成されるものとしたが、本発明はこれに限定されるものではなく、垂直材や斜材で形成しても良く、またこれらを用いて格子状にしても良い。
【図面の簡単な説明】
【００４０】
【図１】本発明に係る建物を示す斜視図である。
【図２】本発明に係る建物の二階を示す平面図である。
【図３】第１壁と外壁面との接合部分を示す部分横断面図である。
【図４】第１壁の下端部を示す部分縦断面図である。
【図５】第２壁とバルコニーとの接合部分を示す部分縦断面図である。
【図６】第１壁と第２壁との接合部分を示す部分横断面図
【符号の説明】
【００４１】
１  建物
２  建物本体
３  外壁面
４  玄関ポーチ
４ａ  軒先
５  バルコニー
５ａ  折れ戸
５ｂ  床部
５ｃ  正面パラペット
５ｄ  正面手摺
５ｅ  側面手摺
５ｆ  受材
６  リビング
６ａ  腰窓
６ｂ  高窓
７  階段
７ａ  採光用窓
Ａ  第１壁
Ａ１  框材
Ａ２，Ａ３  面材
Ａ４，Ａ５  胴縁
Ａ６，Ａ７  サイディング
Ａ８  嵌め殺し窓
Ａ９  笠木受材
Ａ１０  笠木
Ａ１１  水切部材
Ａ１２，Ａ１３，Ａ１４  突出部
Ｂ  第２壁
Ｂ１  水平材
Ｂ２  支持材
Ｃ  第３壁
Ｃ１  笠木
Ｄ  第４壁
Ｄ１  水平材
Ｅ  第５壁
Ｅ１  笠木
Ｅ２  嵌め殺し窓
Ｅ３，Ｅ４  突出部
Ｗ  被覆壁
【図１】
2006328738.tif 000003
【図２】
2006328738.tif 000004
【図３】
2006328738.tif 000005
【図４】
2006328738.tif 000006
【図５】
2006328738.tif 000007
【図６】
2006328738.tif 000008